(57)【要約】【課題】  大小２種類の放射性物質収納容器を固縛するごとに、対応する専用固縛部品を取り替えて使用する必要をなくし、部品の取り違えなく、放射性物質収納容器を迅速に且つ簡単に固縛する。【解決手段】  固縛装置Ｔは、大小２種類の第１又は第２容器を載せる台座Ａと、容器緩衝材Ｂと、台座上に載せて容器を囲む枠体Ｃと、上押え部材Ｄとを備えて構成する。台座は、ベースプレート１０に第１又は第２容器の容器サイズに対応する位置決め穴２１・２２をあけた位置決め板１２・１３を着脱可能に締着している。枠体には、台座上で容器緩衝材を上に載せた第１又は第２容器の高さと対応する、第１上フレーム部２７とそれより一段低い高さ位置の第２上フレーム部２８を有する。第１容器の固縛時、枠体の第１上フレーム部上に上押え部材を締着して第１容器を押え、第２容器の固縛時は、上押え部材の向きを９０度変えて第２上フレーム部上に締着し第２容器を押える。【選択図】          図１
2005214697.tif 000002
【特許請求の範囲】
【請求項１】
放射性物質を収納した大小２種類の第１容器又は第２容器を輸送するとき、それら容器を固縛する放射性物質収納容器の輸送用固縛装置において、
矩形なベースプレートと、片側に切欠き穴をあけた一対の第１分割板片を有し、それら第１分割板片を前記ベースプレートの片面に着脱可能に締着する第１位置決め板と、片側に切欠き穴をあけた一対の第２分割板片を有し、それら第２分割板片を前記ベースプレートの他面に着脱可能に締着する第２位置決め板とを備え、前記第１分割板片の互いの切欠き穴を向き合わせて前記第１位置決め板を前記ベースプレートの片面に締着すると、前記第１容器の底部と係合する位置決め穴が形成される一方、前記第２分割板片の互いの切欠き穴を突き合わせて前記第２位置決め板を前記ベースプレートの他面に締着すると、前記第２容器の底部と係合する位置決め穴が形成される台座と、
前記第１容器又は第２容器上に載せて保護する容器緩衝材と、
共に平行な一対の長辺側フレームとそれより若干短い短辺側フレームとで矩形に形成される下枠部と、該下枠部の角からそれぞれ直立し前記台座上で前記容器緩衝材を上に載せた前記第１容器の高さと対応する長さの柱フレーム部と、前記下枠部の短辺側フレーム上で前記柱フレーム部の上端間に架設する短手側の第１上フレーム部と、前記下枠部の長辺側フレーム上の前記柱フレーム部間にあって前記台座上で前記容器緩衝材を上に載せた前記第２容器の高さと対応する高さ位置に架設する長手側の第２上フレーム部とで枠付けてなり、前記台座上に載せて着脱可能に締着する枠体と、
該枠体の長手側の第２上フレーム部に合わせた長さの第１押圧部と、該第１押圧部より短い第２押圧部とを直交させて形成してなり、前記第１押圧部の両端を、前記第１容器の固縛時に、前記枠体の短手側の第１上フレーム部上に着脱可能に締着して前記容器緩衝材を載せた前記第１容器を押える一方、前記第２容器の固縛時は、一段低い前記長手側の第２上フレーム部上に着脱可能に締着して前記容器緩衝材を載せた前記第２容器を押える上押え部材と、
を備えてなることを特徴とする、放射性物質収納容器の輸送用固縛装置。
【請求項２】
前記第１および第２位置決め板の各分割板片には、それぞれ前記切欠き穴の穴縁に容器抜け止めリブを設けてなることを特徴とする、請求項１に記載の放射性物質収納容器の輸送用固縛装置。
【請求項３】
前記台座と前記枠体には、それぞれ凹凸の嵌め合いで台座に対する枠体の縦横載置位置を位置決めする位置決め手段を備えてなることを特徴とする、請求項１又は２に記載の放射性物質収納容器の輸送用固縛装置。
【発明の詳細な説明】
【技術分野】
【０００１】
本発明は、放射性医薬品など放射性物質を収納した容器を輸送用トラックなどに載せて輸送するとき、その放射性物質収納容器を固縛するのに好適な放射性物質収納容器の輸送用固縛装置に関する。
【背景技術】
【０００２】
一般に、放射性物質は、専用容器に収納して海外から輸入されるが、これを国内でトラックなどに載せて陸上輸送する場合は、運搬物が放射性物質である特殊性（Ｂ型輸送物）から、法定の厳密な固縛要件等を満たす必要がある。そのため、放射性物質収納容器の輸送用固縛装置を使用する者には、所定の運搬確認受検が義務付けられている。
【０００３】
一方、固縛対象の放射性物質収納容器についても、現在、海外（カナダ・南アフリカ）から輸入される比較的大型の容器と小型の容器が使用され、これら大小２種類の特定容器に限定されている。
【０００４】
そこで、従来は、法定の固縛条件等を満たすべく、たとえば図１２および図１３に示すような堅固な構造の固縛装置を用い、放射性物質を収納した大小２種類のカナダ向け第１容器ａと南アフリカ向け第２容器ｂを固縛している。
【０００５】
従来の固縛装置は、パレット型の固定台１と、２種類の容器緩衝材２・３と、押え材４および連結用鎖５とを備えて構成されている。固定台１は、縦横長さの若干異なる長方形状で、ベース板１ａ上に、その縦横寸法に応じて長さの異なる２組の容器位置決め用のアングル材６・７をボルト止めして使用する。そして、第１および第２容器ａ・ｂの直径の違いに合わせて、ベース板１ａの四方に２箇所ずつボルト挿通穴を設け、載置する大小容器ａ・ｂが何れかによってアングル材６・７の締着位置を２段に調整可能にしている。容器緩衝材２・３は、合板製で、固定台１上に載置したときの大小容器ａ・ｂの頂面高さ位置を揃えるために、厚さ（高さ）を違えて形成されている。連結用鎖５は、概略化して図示するが、途中に長さ調整用のターンバックルを接続し、上端の上シャックルをフック４ａに掛けて押え材４の四隅に繋いでいる。
【０００６】
そして、第１容器ａを固縛するときは、例えば輸送用トラックの荷台上の所定位置に固定台１を固定する。そして、固定台１上のアングル材６・７間に第１容器ａを載置して位置決めしてから、第１容器ａ上に第１の容器緩衝材２を載せ、さらに第１の容器緩衝材２上に押え材４を載せる。それから、押え材４に繋いだ連結用鎖５を、各々の下シャックルをフック１ｂに掛けて固定台１に連結する。そして、ターンバックルを回して連結用鎖５を長さ調節して締め付け、第１容器ａを固定台１と押さ材４間で挟着している。
【０００７】
一方、小型の第２容器ｂを固縛するときは、第２の容器保護材３を用意し、固定台１からアングル材６・７をいったん取り外してから、第２容器ｂの直径と対応する中心よりの締着位置でベース板１ａ上に、改めてアングル６・７材をボルト止めする。それから、固定台１上のアングル材６・７間に第２容器ｂを載置して位置決めし、その容器ｂ上に、今度は、第２の容器緩衝材３を載せ、さらに第２の容器緩衝材３上に押え材４を載せる。その後は、同様に押え材４に繋いだ連結用鎖５の下端を固定台１に連結してから、ターンバックルを回して締め付け、第２容器ｂを固定台１と押さ材４間で挟着している。
【発明の開示】
【発明が解決しようとする課題】
【０００８】
ところが、従来の固縛装置では、大きさの違う容器ａ・ｂに対応させて固縛すべく、事前に、高さ調整用に２種類の容器緩衝材２・３を別途に用意し保管する必要があり、そのために、これら固縛構成部品を取り扱うときに紛失するおそれがあるという課題があった。また、長さは微妙に異なるが、類似した２組の位置決め用アングル材６・７を用意し、固縛対象の大小容器ａ・ｂに合わせてアングル材６・７の締着位置を調整してから、固定台１上に取り付けるため、不慣れな作業者によっては、アングル材６・７を取り違えて組み付けやすいという課題もあった。
【０００９】
さらに、従来は、固縛作業のたびに、いちいち複数のアングル材６・７を着脱させて締着位置を２段に調節する必要があり、しかも、複数の連結用鎖５のターンバックルを回して締め付けを調節する工程も伴うことから、それだけ固縛作業に長い時間を要し、且つ手間がかかって非常に面倒であるという課題もあった。
【００１０】
そこで、本発明の目的は、上述のような放射性物質収納容器の輸送用固縛装置において、大小２種類の放射性物質収納容器を固縛するごとに、大小容器に対応する専用固縛部品を取り替えて使用する必要をなくし、部品の取り違えなく、放射性物質収納容器を迅速に且つ簡単に固縛することにある。
【課題を解決するための手段】
【００１１】
そこで、上述した課題を解決すべく、請求項１に記載の発明は、たとえば以下に示す図示実施の形態のとおり、放射性物質を収納した大小２種類の第１容器Ｍ又は第２容器Ｎを輸送するとき、それら容器を固縛する放射性物質収納容器の輸送用固縛装置Ｔにおいて、矩形なベースプレート１０と、片側に切欠き穴１６をあけた一対の第１分割板片１２ａ・１２ｂを有し、それら第１分割板片１２ａ・１２ｂを前記ベースプレート１０の片面１０ａに着脱可能に締着する第１位置決め板１２と、片側に切欠き穴１７をあけた一対の第２分割板片１３ａ・１３ｂを有し、それら第２分割板片１３ａ・１３ｂを前記ベースプレート１０の他面１０ｂに着脱可能に締着する第２位置決め板１３とを備え、前記第１分割板片１２ａ・１２ｂの互いの切欠き穴１６を向き合わせて前記第１位置決め板１２を前記ベースプレート１０の片面１０ａに締着すると、前記第１容器Ｍの底部と係合する位置決め穴２１が形成される一方、前記第２分割板片１３ａ・１３ｂの互いの切欠き穴１７を突き合わせて前記第２位置決め板１３を前記ベースプレート１０の他面１０ｂに締着すると、前記第２容器Ｎの底部と係合する位置決め穴２２が形成される台座Ａと、前記第１容器Ｍ又は第２容器Ｎ上に載せて保護する容器緩衝材Ｂと、共に平行な一対の長辺側フレーム２５ａ・２５ａとそれより若干短い短辺側フレーム２５ｂ・２５ｂとで矩形に形成される下枠部２５と、該下枠部２５の角からそれぞれ直立し前記台座Ａ上で前記容器緩衝材Ｂを上に載せた前記第１容器Ｍの高さと対応する長さの柱フレーム部２６と、前記下枠部２５の短辺側フレーム２５ｂ上で前記柱フレーム部２６の上端間に架設する短手側の第１上フレーム部２７と、前記下枠部２５の長辺側フレーム２５ａ上の前記柱フレーム部２６間にあって前記台座Ａ上で前記容器緩衝材Ｂを上に載せた前記第２容器Ｎの高さと対応する高さ位置に架設する長手側の第２上フレーム部２８とで枠付けてなり、前記台座Ａ上に載せて着脱可能に締着する枠体Ｃと、該枠体Ｃの長手側の第２上フレーム部２８に合わせた長さの第１押圧部２９と、該第１押圧部２９より短い第２押圧部３０とを直交させて形成してなり、前記第１押圧部２９の両端を、前記第１容器Ｍの固縛時に、前記枠体Ｃの短手側の第１上フレーム部２７上に着脱可能に締着して前記容器緩衝材Ｂを載せた前記第１容器Ｍを押える一方、前記第２容器Ｎの固縛時は、前記長手側の一段低い第２上フレーム部２８上に着脱可能に締着して前記容器緩衝材Ｂを載せた前記第２容器Ｎを押える上押え部材Ｄと、を備えてなることを特徴とする。
【００１２】
請求項２に記載の発明は、請求項１に記載の放射性物質収納容器の輸送用固縛装置Ｔにおいて、たとえば以下に示す図示実施の形態のとおり、前記第１および第２位置決め板１２・１３の各分割板片１２ａ・１２ｂ，１３ａ・１３ｂには、それぞれ前記切欠き穴１６・１７の穴縁に容器抜け止めリブ１８・１９を設けてなることを特徴とする。
【００１３】
請求項３に記載の発明は、請求項１又は２に記載の放射性物質収納容器の輸送用固縛装置Ｔにおいて、たとえば以下に示す図示実施の形態のとおり、前記台座Ａと前記枠体Ｃには、それぞれ凹凸の嵌め合いで台座Ａに対する枠体Ｃの縦横載置位置を位置決めする、ガイドピン１５とガイド穴のような位置決め手段を備えてなることを特徴とする。
【発明の効果】
【００１４】
請求項１に記載の発明によれば、（１）放射性物質収納容器を固縛するとき、従来のごとく固縛構成部品を取り替えて使用する必要がなく、常に、すべて共通の台座、枠体、容器緩衝材および上押え部材を使用し、固縛対象が大小異なる第１容器か第２容器の何れかによって、台座のベースプレートの板面向きを変えて位置決め板の位置決め穴を対応させるだけでよく、また、同じ上押え部材を向きを９０度変えて高さの異なる枠体の第１上フレーム又は第２上フレーム上に締着すればよい。したがって、これら固縛構成部品を取り扱うときに紛失するような弊害の発生を防止することができる。（２）容器サイズに対応させて明らかに大きさの異なる位置決め穴をあけた位置決め板を用い、それら位置決め穴に嵌着させて第１および第２容器を台座上で位置決め保持するため、従来のごとく、たとえ不慣れな作業者であっても、それら固縛構成部品を取り違えて組み付けてしまうような弊害の発生も防止することができる。（３）台座上に枠体を締着して容器を囲い、その容器上に容器緩衝材を介して上押え部材を載せ枠体に締着すれば、容器は固縛され、従来のようにターンバックルを回して締め付け調整する面倒な工程もなく、たとえばボルトナット締めだけで簡単且つ短時間に固縛することができる。（４）第1又は第２容器は、その底部を対応する位置決め板の位置決め穴に嵌着させて台座上で保持しているため、衝撃などを受けても位置ズレすることなく確実に保持することができるという利点がある。（５）しかも、台座上で容器の周りを枠体で囲んで保持するため、容器が台座から脱落するおそれがないという利点もある。
【００１５】
請求項２に記載の発明によれば、位置決め板の位置決め穴に、容器抜け止めリブを第１又は第２容器の底部周縁と係合させることにより、それら容器を位置ズレさせることなく、より確実に嵌着させて台座上で保持することができる。
【００１６】
請求項３に記載の発明によれば、台座上に枠体を載置するとき、位置決め手段の凹凸の嵌め合いで台座に対する枠体の縦横載置位置を縦横載置位置を整合させて、簡単且つ確実に位置決めすることができる。
【発明を実施するための最良の形態】
【００１７】
以下、図面を参照しつつ、本発明の実施の形態について説明する。
【００１８】
図１および図２は、本発明による放射性物質収納容器の輸送用固縛装置を示す斜視図、図３および図４は、その固縛装置の一部を断面にして示す正面図である。本発明の固縛装置Ｔは、カナダから輸入される放射性物質を収納した特定の第１容器Ｍ（図１および図３参照）と、南アフリカから輸入される放射性物質を収納した特定の第２容器Ｎ（図２および図４参照）の大小２種類の放射性物質収納容器を固縛する。第１および第２容器Ｍ・Ｎは、高さと直径が大小異なる所定サイズの金属製円筒缶からなる。
【００１９】
これら大小２種類の容器Ｍ・Ｎを固縛する図示固縛装置Ｔでは、共通の台座Ａと、容器緩衝材Ｂと、枠体Ｃと、上押え部材Ｄとを備えた構成になっている。
【００２０】
台座Ａは、ベースプレート１０と、根止め枠１１と、第１および第２の位置決め板１２・１３とからなる。ベースプレート１０は、縦横長さが僅かに異なる矩形な金属板からなり、短辺側の左右両側縁にコ状の取手１４を付設している。根止め枠１１は、縦横長さをベースプレート１０に合わせて枠付けた金属製矩形枠で、その上側縁に沿って鍔状の連結用フランジ部１１ａを設ける一方、下側縁における長辺側の側縁に、やや幅広な鍔状の固定用フランジ部１１ｂを設けてなる。そして、連結用フランジ部１１ａにおける左右対向する２辺の長さ方向中央に、それぞれ上向きに位置決め用の先細なガイドピン１５を突設している。一方、ベースプレート１０には、対向する左右側縁にそれぞれ根止め枠１１上のガイドピン１５と対応するガイド穴をあけている。
【００２１】
第１位置決め板１２は、共に合板製で、やや肉厚な一対の第１分割板片１２ａ・１２ｂを備える。第１分割板片１２ａ・１２ｂには、曲率半径を第１容器Ｍのそれに合わせて半円に切り欠いた切欠き穴１６を設けてなる（図５参照）。一方、第２位置決め板１３も、共に合板製で、やや肉厚な一対の第２分割板片１３ａ・１３ｂを備える。第２分割板片１３ａ・１３ｂには、曲率半径を第２容器Ｎのそれに合わせて半円に切り欠いた切欠き穴１７を設けてなる（図６参照）。そして、第１位置決め板１２の分割板片１２ａ・１２ｂには、図７および図８に示すように、切欠き穴１６の穴縁に硬質ゴム製の容器抜け止めリブ１８を接着し、第２の位置決め板１３の分割板片１３ａ・１３ｂには、切欠き穴１７の穴縁に硬質ゴム製の容器抜け止めリブ１９を接着してなる。
【００２２】
斯かる台座Ａは、図３および図５に示すように、ベースプレート１０の片面１０ａ上に、第１分割板片１２ａ・１２ｂを互いの切欠き穴１６を向き合わせて着脱可能にボルトとナットで第１位置決め板１２を締着すると共に、図４および図６に示すように、他面１０ｂ上に、第２分割板片１３ａ・１３ｂを互いの切欠き穴１７を向き合わせて着脱可能にボルトとナットで第２位置決め板１３を締着し、１つの受台２０を形成してなる。そして、ベースプレート１０の片面１０ａに締着状態にあるとき、第１位置決め板１２には、第１容器Ｍの底部と係合する位置決め穴２１が形成される一方、他面１０ｂに締着状態にあるとき、第２位置決め板１３には、第２容器Ｎの底部と係合する位置決め穴２２が形成される構造になっている。
【００２３】
容器緩衝材Ｂは、図１〜図４に示すように、合板で所定厚さに形成され、詳しくは後述する枠体Ｃ内に水平に配置可能な縦横長さ若干異なる矩形盤状に形成されてなる。
【００２４】
枠体Ｃは、いずれも金属製の、下枠部２５と、柱フレーム部２６と、第１上フレーム部２７と、第２上フレーム部２８と、方杖部２３とで全体に櫓状に一体に組んで形成してなる。下枠部２５は、台座Ａのベースプレート１０の縦横長さに合わせて、共に平行な一対の、長辺側フレーム２５ａ・２５ａとそれより若干短い短辺側フレーム２５ｂ・２５ｂとで矩形に組んで形成されている。そして、長辺側フレーム２５ａ・２５ａには、それぞれ長さ方向略中央に、台座Ａから突出するガイドピン１５と対応させて、ベースプレート１０のガイド穴と同様な位置決め用のガイド穴をあけている。なお、短辺側フレーム２５ｂ・２５ｂには、コ状の取手２４を付設している
【００２５】
柱フレーム部２６は、長さ寸法を、後述するが、台座Ａ上で容器緩衝材Ｂを上に載せた第１容器Ｍの高さに合わせた４本のフレーム２６ａ・２６ｂからなり、それらフレームをそれぞれ下枠部２５の角部から垂直に立設してなる。第１上フレーム部２７は、長さ寸法を下枠部２５の短辺側フレーム２５ｂ・２５ｂに合わせた短手側フレームで形成し、短辺側フレーム２５ｂ・２５ｂの上で柱フレーム部２６ａ・２６ｂ，２６ａ，２６ｂの上端間に架設してなる。一方、第２上フレーム部２８は、長さ寸法を下枠部２５の長辺側フレーム２５ａ・２５ａに合わせた長手側フレームで形成し、長辺側フレーム２５ａ・２５ａの上で柱フレーム部２６ａ・２６ａ，２６ｂ・２６ｂ間に架設する。特に、後述するが、台座Ａ上で容器緩衝材Ｂを上に載せた第２容器Ｎの高さと対応する高さ位置で柱フレーム部２６ａ・２６ａ，２６ｂ・２６ｂ間に架設してなる。
【００２６】
上押え部材Ｄは、図９でも示すように、いずれも金属製の第１押え枠部（第１押圧部）２９と、第２押え枠部（第２押圧部）３０とを直交させて、一体に組み付けて略井桁状に形成してなる。特に、第１押え枠部２９は、枠体Ｃにおける長手側の第２上フレーム部２８に合わせた長さの２本のフレームで形成する一方、第２押え枠部３０は、長さが第１押え枠部２９より若干短い長方形枠状に形成してなる。第１押え枠部２９には、両端に取付用のボルト貫通穴が設けられている。
【００２７】
さて、上述した本発明による固縛装置Ｔを用いて、カナダ向け第１容器Ｍを固縛するときは、台座Ａの受台２０において、ベースプレート１０の片面１０ａから、第１位置決め板１２の一側の第1分割板片１２ｂを、いったん取り外す。それから、輸送用トラックの荷台上で、所定の固定位置に台座Ａの根止め枠１１を、固定用フランジ部１１ｂにてボルトで固着する。そして、根止め枠１１上に、取手１４を持ち、ベースプレート１０の片面１０ａを上向きにして受台２０を載置する。そのとき、ベースプレート１０の位置決め用のガイド穴に根止め枠１１上のガイドピン１５を係合させ、根止め枠１１に対する受台２０の縦横載置位置を整合させる。次いで、第１分割板片１２ａの容器抜け止めリブ１８に、底部周縁を係合させて第１容器Ｍをベースプレート１０の片面１０ａ上に載置する。それから、外した第1分割板片１２ｂを、その容器抜け止めリブ１８を第１容器Ｍの底部周縁と係合させて、再びベースプレート１０の片面１０ａ上にボルト止めし、図１０に示すように、第１容器Ｍを台座Ａ上で位置決め穴２１に、位置ズレしないように嵌着する。
【００２８】
しかる後、取手２４を持ち、図１および図３に示すように台座Ａ上に枠体Ｃを載置して第１容器Ｍを囲む。そのとき、下枠部２５の位置決め用ガイド穴にガイドピン１５を係合させ、台座Ａに対する枠体Ｃの縦横載置位置を整合させて位置決めする。そして、根止め枠１１の連結用フランジ部１１ａ上に、ベースプレート１０の四方側縁を介し下枠部２５を重ねて一体にボルト止めし、枠体Ｃを台座Ａ上に締着する。
【００２９】
その後、第１容器Ｍの上に容器緩衝材Ｂを載せてから、さらに上押え部材Ｄを載せる。そのとき、上押え部材Ｄは、第１押え枠部２９の両端を、枠体Ｃの短手な第１上フレーム部２７・２７間に掛け渡してボルトで止め、枠体Ｃ上に締着する。すると、第１容器Ｍが上押え部材Ｄで容器緩衝材Ｂを介して押え付けられ、上押え部材Ｄと台座Ａ間で第１容器Ｍを挟着して固縛する。
【００３０】
次に、同じ固縛装置Ｔを用いて、南アフリカ向け第２容器Ｎを固縛するときは、台座Ａの受台２０において、反対のベースプレート１０の他面１０ｂ上から、第２位置決め板１３の一側の第２分割板片１３ｂを、いったん取り外す。それから、荷台上で、同様に、所定の固定位置に台座Ａの根止め枠１１を、固定用フランジ部１１ｂにてボルトで固着する。そして、取手１４を持ち、根止め枠１１上に、今度は、ベースプレート１０の他面１０ｂを上向きにし、ガイドピン１５とガイド穴の嵌め合いで案内して受台２０を載置する。次いで、第２分割板片１３ａの容器抜け止めリブ１９に、底部周縁を係合させて第２容器Ｎをベースプレート１０の他面１０ｂ上に載置する。それから、外した第２分割板片１３ｂを、その容器抜け止めリブ１９を第２容器Ｎの底部周縁と係合させて、再びベースプレート１０の他面１０ｂにボルト止めし、図１１に示すように、第２容器Ｎを台座Ａ上で位置決め穴２２に、位置ズレしないように嵌着する。
【００３１】
しかる後、取手２４を持ち、図２および図４に示すように、下枠部２５のガイド穴にガイドピン１５を係合させて位置決めし、縦横載置位置を整合させて台座Ａ上に枠体Ｃを載置し、第２容器Ｎを囲む。そして、根止め枠１１の連結用フランジ部１１ａ上に、ベースプレート１０の四方側縁を介し下枠部２５を重ねて一体にボルト止めし、枠体Ｃを台座Ａ上で締着する。
【００３２】
その後、第２容器Ｎ上に容器緩衝材Ｂを載せてから、今度は、長手の第1押え枠部２９を枠体Ｃの一段低い第２上フレーム部２８・２８と直交する向きに配置して上押え部材Ｄを容器緩衝材Ｂ上に載せる。そのとき、上押え部材Ｄは、第１押え枠部２９の両端を、枠体Ｃの第２上フレーム部２８・２８間に掛け渡してボルトで止め、枠体Ｃ上に締着する。すると、第２容器Ｎが上押え部材Ｄで容器緩衝材Ｂを介して押え付けられ、上押え部材Ｄと台座Ａ間で挟着して第２容器Ｎを固縛する。
【００３３】
ところで、上述した固縛装置Ｔでは、台座Ａに対する枠体Ｃの縦横載置位置を、位置決め手段のガイドピン１５とガイド穴の嵌め合いで位置決めした。しかし、位置決め手段は、広く凹凸の嵌め合いで台座に対する枠体の縦横載置位置を位置決めするものであれば、ピンと穴の嵌め合い構成に限られないのは、勿論である。
【００３４】
また、図示固縛装置Ｔでは、台座Ａに備える位置決め板１２・１３は、第１および第２容器Ｍ・Ｎの円筒缶形状に合わせて位置決め穴２１・２２が円形であったが、第１および第２容器が角筒缶形状など他の形状である場合には、それら外形状に合わせた各種形状の位置決め穴に形成することもできる。
【００３５】
さらに、図示固縛装置Ｔでは、容器緩衝材Ｂは合板製であったが、放射性物質収納容器を保護する緩衝材であれば、それに限らず、ゴムや適宜の樹脂材料などを用いて形成することもできる。
【００３６】
そして、図示固縛装置Ｔでは、上押え部材Ｄは、縦横長さを違えた枠材を用いて井桁状に形成したが、それに限らず、縦横長さを違えたプレート材などを用いて形成することもできる。
【図面の簡単な説明】
【００３７】
【図１】放射性物質収納容器の第１容器を固縛した状態において、本発明の輸送用固縛装置を示す斜視図である。
【図２】第２容器を固縛した状態で示す輸送用固縛装置の斜視図である。
【図３】第１容器を固縛した固縛装置の一部を断面にして示す正面図である。
【図４】第２容器を固縛した固縛装置の一部を断面にして示す正面図である。
【図５】固縛装置を、台座上に第１容器を載せる向きにて示す平面図である。
【図６】固縛装置を、台座上に第２容器を載せる向きにて示す平面図である。
【図７】図３の固縛装置における台座の一部を拡大して示す部分拡大断面図である。
【図８】図４の固縛装置における台座の一部を拡大して示す部分拡大断面図である。
【図９】固縛装置の上押え枠部材を示す平面図である。
【図１０】固縛装置を、台座上に第１容器を載せた状態で示す斜視図である。
【図１１】固縛装置を、台座上に第２容器を載せた状態で示す斜視図である。
【図１２】従来の輸送用固縛装置を、放射性物質収納容器の第１容器を固縛した状態で示す斜視図である。
【図１３】従来の輸送用固縛装置を、第２容器の固縛状態で示す斜視図である。
【符号の説明】
【００３８】
Ａ              台座
Ｂ              容器緩衝材
Ｃ              枠体
Ｄ              上押え部材
Ｍ              第１容器
Ｎ              第２容器
Ｔ              固縛装置
１０            ベースプレート
１２・１３      位置決め板
１２ａ・１２ｂ  第１分割板片
１３ａ・１３ｂ  第２分割板片
１５            ガイド決めピン
１６・１７      切欠き穴
１８・１９      容器抜け止めリブ
２１・２２      位置決め穴
２５            下枠部
２５ａ          下枠部の長辺側フレーム
２５ｂ          下枠部の短辺側フレーム
２６            柱フレーム部
２７            第１上フレーム部
２８            第２上フレーム部
２９            第１押え枠部（第１押圧部）
３０            第２押え枠部（第２押圧部）
【図１】
2005214697.tif 000003
【図２】
2005214697.tif 000004
【図３】
2005214697.tif 000005
【図４】
2005214697.tif 000006
【図５】
2005214697.tif 000007
【図６】
2005214697.tif 000008
【図７】
2005214697.tif 000009
【図８】
2005214697.tif 000010
【図９】
2005214697.tif 000011
【図１０】
2005214697.tif 000012
【図１１】
2005214697.tif 000013
【図１２】
2005214697.tif 000014
【図１３】
2005214697.tif 000015